【手続補正書】
【提出日】平成18年1月26日(2006.1.26)
【手続補正１】
【補正対象書類名】明細書
【補正対象項目名】特許請求の範囲
【補正方法】変更
【補正の内容】
【特許請求の範囲】
【請求項１】  通信ステーションと１又は複数の遠隔送信器の間でアップリンク信号を受信するアップリンク通信のための継続時電力を制御する方法であって、通信ステーションが関連する受信装置にそれぞれ結合されたアンテナ要素の配列と、受信装置の組からの信号の組を空間的処理するためのプロセッサとを含み、空間的処理が受信重みの受信重み付けベクトルに従いアップリンク信号を形成するものにおいて、特定の遠隔送信器に対して、
（ａ）通常チャンネル上で特定の遠隔送信器に対して初期電力の割当てを設定し、そして通常チャンネル上で特定の遠隔送信器から特定のアップリング信号を送信し、
（ｂ）通常チャンネルの特定のチャンネル上で特定の遠隔送信器と通信するために特定の受信重み付けベクトルを決定し、
（ｃ）特定のアップリンク信号をアンテナ要素と関連する受信装置において１組の受信信号として受信し、そして受信信号を特定の受信重み付けベクトルでもって空間的処理して特定の受信信号を形成し、
（ｄ）特定の受信信号の品質を推定し、
（ｅ）特定の遠隔送信器について更新された電力割当てを決定し、電力割当て決定は受信信号の品質推定を用い、
（ｆ）更新された電力割当てを特定の遠隔送信器において適用し、適用が新アップリンク信号を送信することを包含し、
を含む方法。
【請求項２】  ステップ（ｂ）、（ｃ）、（ｄ）、（ｅ）及び（ｆ）からなる組の内、少なくともステップ（ｃ）（ｄ）（ｅ）及び（ｆ）を定期的に繰返すことをさらに含む請求項１に記載の方法。
【請求項３】  決定するステップ（ｆ）が通信ステーションで実行され、そして適用するステップ（ｇ）が更新された電力割当てを遠隔送信器に通信することを含む請求項１又は２に記載された方法。
【請求項４】  受信信号の品質推定がＳＩＮＲ推定である請求項１又は２に記載の方法。
【請求項５】  通信ステーションが１又は複数のセルの通信システム内に含まれていて、各セルが特定の通信ステーション及び対応する遠隔送信器の特定の組を含み、
電力割当て更新ステップ（ｅ）が通信システムの別個の各セルにおいて独立に決定されて、この独立の決定が通信システムの他のいずれのセルからの電力制制御情報の通信なくして行なわれる請求項１、２、３又は４に記載の方法。
【請求項６】  特定の遠隔送信器に対してステップ（ｅ）の繰返しで決定される電力割当てが目標ＳＩＮＲと、特定の遠隔送信器からの送信のためのステップ（ｆ）の前の繰返しで使用された電力と、推定ステップ（ｅ）の前の繰返し及び現在からのＳＩＮＲ推定との関数である請求項４に記載の方法。
【請求項７】  関数が、目標ＳＩＮＲと、最近のステップ（ｄ）の適用からのＳＩＮＲ推定と、最近の電力割当て適用ステップ（ｆ）の適用との関数である請求項６に記載の方法。
【請求項８】  全電力及びＳＩＮＲ量が対数スケールで表現される時、関数がステップ（ｅ）の繰返しで決定された電力と最近のステップ（ｆ）の適用で適用された電力との差であって、目標ＳＩＮＲと最近に適用されたステップ（ｄ）からのＳＩＮＲとの間の差と関係を有するものにより定義された関数である請求項７に記載の方法。
【請求項９】  関係が比例である請求項７に記載の方法。
【請求項１０】  目標ＳＩＮＲが通常チャンネルの全てのアップリンク空間的チャンネルについて全て同じ値である請求項７に記載の方法。
【請求項１１】  決定するステップ（ｅ）が、少なくとも目標アップリンク信号品質である予想されるアップリンク信号品質測定の拘束の条件下にある請求項１又は２に記載の方法。
【請求項１２】  受信信号の品質推定がＳＩＮＲ推定であり、予想されるアップリンク信号品質策定がＳＩＮＲ推定に依存した予想ＳＩＮＲ測定であり、そして目標信号品質が目標ＳＩＮＲである前記請求項のいずれかに記載された方法。
【請求項１３】  通信ステーションが１又は複数のセルの通信システム内に含まれ、各セルが特定の通信ステーション及び対応する遠隔送信器の特定の組合せを含み、
更新された電力割当てステップ（ｅ）が、通信システムの別個のセルのそれぞれで独立に決定されて、この独立の決定が通信システムの他のいずれのセルからの電力制制御情報の通信なくして行なわれる請求項１２に記載の方法。
【請求項１４】  各繰返しにおいて、全てのステップ（ｅ）において通常チャンネルの全てのアップリンク空間的チャンネルについてのアップリンク通信に対して決定される電力割当てが、通常チャンネルのアップリンク空間的チャンネル上に送信される電力の重み付けした和を最小にするものである請求項１３に記載の方法。
【請求項１５】  重み付けした和が通常チャンネルのアップリンク空間的チャンネル上で送信される電力の総計である請求項１４に記載の方法。
【請求項１６】  空間的チャンネルについて予想されるアップリンクＳＩＮＲ測定が、特定の受信重み付けベクトルと、その空間的チャンネルについて及び通常チャンネルの他のアップリンク空間的チャンネルについてのアップリンク経路損失の表現と、特定の遠隔送信器の受信空間的シグネチャと、通常チャンネル上の他の遠隔送信器の受信空間的シグネチャと、空間的チャンネル上で通信ステーションにより経験される空間的処理後雑音プラスセル間干渉との表現であり、空間的チャンネルについての経路損失が推定されＳＩＮＲ及び最近使用された送信電力の関数であり、いずれのアップリンク空間的チャンネルについてのセル間干渉プラス雑音が、そのアップリンク空間的チャンネルについてのＳＩＮＲ推定と、通常チャンネルのアップリンク空間的チャンネル上の全ての遠隔送信器の受信重み付けベクトル及び受信空間的シグネチャと、通常チャンネルの全てのアップリンク空間的チャンネル上で最近の繰返しのステップ（ｆ）において遠隔送信器により適用された電力と、その空間的チャンネルについて及び通常チャンネルの他のアップリンク空間的チャンネルについての経路損失との関数である請求項１４に記載の方法。
【請求項１７】  空間的チャンネルを下添字ｉで表示し、通常チャンネル内のアップリンク空間的チャンネルの総数をｄで表示し、アップリンク空間的チャンネルについての目標ＳＩＮＲをＳＩＮＲUtargetiで表示すると、空間的チャンネルについての特定の拘束が以下のように数学的に表現され、
【数１】
2002503053.tif 000001
ここで、ｊ＝１，．．．，ｄ，であり、ｐUjはステップ（ｆ）の次の適用において空間的チャンネルｊの遠隔送信器から通信ステーションへアップリンク空間的チャンネルｊ上で送信する電力であり、ＬUjは空間的チャンネルｊ上の遠隔送信器から通信ステーションへのアップリンク空間的チャンネルｊ上の経路損失であり、ｗUjは空間的チャンネルｊ上の遠隔送信器から受信するｊための受信重み付けベクトルでありこの受信重み付けベクトルは１のユークリッドノルムを持ち、ａUjはアップリンク空間チャンネルｊ上の遠隔送信器の受信空間的シグネチャであり、受信空間的シグネチャはそれぞれ１のユークリッドノルムを有し、そしてＩUjはアップリンク空間的チャンネルｊ上の通信ステーションにより経験されるアップリンク空間的処理後雑音プラスセル間干渉である、請求項１６に記載の方法。
【請求項１８】  目標ＳＩＮＲが通常チャンネルの全てのアップリンク空間的チャンネルに対して同じ値を全て有する請求項１４に記載の方法。
【請求項１９】  拘束が、予想されるＳＩＮＲ測定が目標ＳＩＮＲに等しいことである請求項１３に記載の方法。
【請求項２０】  空間的チャンネルについて予想されるアップリンクＳＩＮＲ測定が、特定の受信重み付けベクトルと、空間的チャンネルの他のアップリンク空間的チャンネル上での通信について使用される他の受信重み付けベクトルと、その空間的チャンネルについて及び空間的チャンネルの他のアップリンク空間的チャンネルについてのアップリンク経路損失の表現と、特定の遠隔送信器の受信空間的シグネチャと、通常チャンネル上の他の遠隔送信器の受信空間的シグネチャと、空間的チャンネル上で通信ステーションにより経験される空間的処理後雑音プラスセル間干渉との表現であり、空間的チャンネルについての経路損失が推定されＳＩＮＲ及び最近使用された送信電力の関数であり、いずれのアップリンク空間的チャンネルについてのセル間干渉プラス雑音が、そのアップリンク空間的チャンネルについてのＳＩＮＲ推定と、通常チャンネルのアップリンク空間的チャンネル上の全ての遠隔送信器の受信重み付けベクトル及び受信空間的シグネチャと、通常チャンネルの全てのアップリンク空間的チャンネル上で最近の繰返しのステップ（ｆ）において遠隔送信器により適用された電力と、その空間的チャンネルについて及び通常チャンネルの他のアップリンク空間的チャンネルについての経路損失との関数である請求項１９に記載の方法。
【請求項２１】  通信ステーションと１又は複数の遠隔受信器の間でダウンリンク信号を送信するダウンリンク通信のための継続時電力を制御する方法であって、通信ステーションが１組の送信信号を送信するためのアンテナ要素の配列を有し、１組の送信信号はそれぞれがアンテナ要素の１つに関連した１組のアンテナ送信装置を経由し、送信信号の１組を形成するために送信重みの送信重み付けベクトルに従いダウンリンク信号を空間的処理するためのプロセッサとを含むものにおいて、特定の遠隔受信器に対して、
（ａ）通常チャンネルの空間的チャンネル上で初期送信重み付けベクトルを使用して特定の遠隔受信器に送信するために通信ステーションに対して初期電力の割当てを設定し、そして特定のダウンリンク信号を空間的チャンネル上で通信ステーションから初期送信重み付けベクトル及び初期電力割当てに従って送信し、
（ｂ）遠隔受信器において特定のダウンリンク信号を受信し、
（ｃ）受信されたダウンリンク信号の品質を推定し、
（ｄ）特定の遠隔受信器へ送信するために通信ステーションに対して更新された電力割当てを決定し、電力割当て決定は受信信号の品質推定を用い、
（ｅ）通信ステーションにおいて更新された電力割当てを適用し、適用は新ダウンリンク信号を送信することを包含し、
を含む方法。
【請求項２２】  （ｆ）空間的チャンネル上の特定の遠隔受信器へ通信ステーションから送信するための更新された送信重み付けベクトルを決定し、ステップ（ｅ）にて更新された送信重み付けベクトルを用いて新ダウンリンク信号を送信すること、をさらに含む請求項２１に記載の方法。
【請求項２３】  新ダウンリンク信号が、空間的チャンネル上の特定の遠隔送信器へ送信された最近のダウンリンク信号と同じである請求項２２記載の方法。
【請求項２４】  ステップ（ｂ）、（ｃ）、（ｄ）及び（ｅ）を定期的に繰返すことをさらに含む請求項２１、２２又は２３に記載の方法。
【請求項２５】  ステップ（ｂ）、（ｃ）、（ｄ）、（ｅ）及び（ｆ）からなる組の内、少なくともステップ（ｂ）（ｃ）（ｄ）及び（ｅ）を定期的に繰返すことをさらに含む請求項２１、２２、２３又は２４に記載の方法。
【請求項２６】  受信信号の品質推定がＳＩＮＲ推定である請求項２５記載の方法。
【請求項２７】  ＳＩＮＲ推定が遠隔受信器で決定されて、そして適用するステップ（ｄ）がＳＩＮＲ推定を通信ステーションに通信することを含む請求項２６記載の方法。
【請求項２８】  特定の遠隔受信器が第２の通常チャンネルのアップリンク空間的チャンネル上で送信をする遠隔送信器を含み、通信ステーションがそれぞれがアンテナ要素の１つに結合されている１組の受信装置と、１組の受信装置により受信された信号を受信重み付けベクトルに従って空間的に処理してアップリンク信号にする受信プロセッサとを含み、ステップ（ｆ）で決定された更新された送信重み付けベクトルが遠隔送信器が送信した特定のアップリンク信号の結果として通信ステーションにて１組の受信装置により受信された信号から決定される請求項２２に記載の方法。
【請求項２９】  通常チャンネル及び第２の通常チャンネルが通信のために同じ周波数を使用する請求項２８記載の方法。
【請求項３０】  ステップ（ｆ）にて決定された更新された送信重み付けベクトルが、特定のアップリンク信号の受信形式を決定するための第２プロセッサにより使用された受信重み付けベクトルから決定される請求項２９記載の方法。
【請求項３１】  通信ステーションが１又は複数セルの通信システム内に含まれ、各セルは特定の通信ステーション及び対応した遠隔受信器の特定の組を含み、
ステップ（ｄ）の更新された電力割当ては通信システムの別のセルでそれぞれ独立に決定され、その独立の決定は通信システムの他のいずれのセルからの電力制御情報の通信をせずになされる請求項２１ないし２６のいずれかに記載された方法。
【請求項３２】  特定の遠隔受信器についてステップ（ｄ）の繰返しで決定される電力割当ては目標ＳＩＮＲと、ステップ（ｅ）の前の繰返しで特定の遠隔受信器へ送信するために使用された電力と、推定ステップ（ｃ）の現在及び前の繰返しからのＳＩＭＲ推定との関数である請求項３１記載の方法。
【請求項３３】  関数が、目標ＳＩＮＲと、ステップ（ｃ）の最近の適用からのＳＩＮＲ推定と、電力割当て適用ステップ（ｅ）の最近の適用との関数である請求項３２に記載の方法。
【請求項３４】  全電力及びＳＩＮＲ品質が対数スケールで表現される時、関数がステップ（ｄ）の繰返しで決定される電力とステップ（ｅ）の最近の適用で適用された電力との間の差で、最近に適用されたステップ（ｃ）からのＳＩＮＲ推定と目標ＳＩＮＲとの間の差との関係を持つものにより定義された関数である請求項３３記載の方法。
【請求項３５】  関係が比例である請求項３４記載の方法。
【請求項３６】  目標ＳＩＮＲが通常チャンネルの全てのダウンリンク空間的チャンネルに対して全て同じ値を有する請求項３４に記載の方法。
【請求項３７】  決定するステップ（ｄ）が、少なくとも目標ダウンリンク信号品質である予想されたダウンリンク信号品質測定の拘束の条件下にある請求項２４に記載の方法。
【請求項３８】  受信信号品質推定がＳＩＮＲ推定であり、予想されたダウンリンク信号品質測定がＳＩＮＲ推定に依存した予想されたＳＩＮＲ測定であり、目標信号品質が目標ＳＩＮＲである請求項３７に記載の方法。
【請求項３９】  通信ステーションが１又は複数のセルの通信システム内に含まれていて、各セルが特定の通信ステーションと対応する遠隔受信器の特定の組を含み、
更新された電力割当てステップ（ｄ）が通信システムの別個のセルでそれぞれ独立に決定され、この独立の決定は通信システムのためセルからの電力制御情報のなしに行なわれる請求項２１ないし３８に記載のいずれかの方法。
【請求項４０】  各繰り返しにおいて、通常チャンネル上の全てのダウンリンク空間的チャンネルについてダウンリンク通信の電力割当て決定する全てのステップ（ｄ）が通常チャンネルのダウンリンク空間的チャンネル上で送信する電力の重み付けした和を最小にするものである請求項３９に記載された方法。
【請求項４１】  重み付けした和が通常チャンネルのダウンリンク空間的チャンネル上で送信するための全電力である請求項４０に記載の方法。
【請求項４２】  空間的チャンネルについて予想されるダウンリンクＳＩＮＲ測定が、特定の遠隔受信器のための最近に更新された送信重み付けベクトルと、空間的チャンネルの他のダウンリンク空間的チャンネル上の通信について使用される他の受信重み付けベクトルと、その空間的チャンネルについて及び空間的チャンネルの他のアップリンク空間的チャンネルについてのダウンリンク経路損失の表現と、特定の遠隔受信器の送信空間的シグネチャと、空間的チャンネル上で遠隔受信器により経験される空間的処理後雑音プラスセル間干渉との表現であり、空間的チャンネルについての経路損失が推定されＳＩＮＲ及び最近使用された送信電力の関数であり、いずれのダウンリンク空間的チャンネルについてのセル間干渉プラス雑音が、そのダウンリンク空間的チャンネルについてのＳＩＮＲ推定と、通常チャンネルのダウンリンク空間的チャンネル上の全ての遠隔受信器の送信重み付けベクトル及び送信空間的シグネチャと、通常チャンネルの全てのダウンリンク空間的チャンネル上で最近の繰返しのステップ（ｅ）において通信ステーションにより適用された電力と、その空間的チャンネルについて及び通常チャンネルの他のダウンリンク空間的チャンネルについての経路損失との関数である請求項４０に記載の方法。
【請求項４３】  空間的チャンネルを下添字ｉで表示し、通常チャンネル内のダウンリンク空間的チャンネルの総数をｄで表示し、ダウンリンク空間的チャンネルについての目標ＳＩＮＲをＳＩＮＲDtargetiで表示すると、空間的チャンネルについての特定の拘束が以下のように数学的に表現され、
【数２】
2002503053.tif 000002
ここで、ｊ＝１，．．．，ｄ，であり、ｐDjはステップ（ｅ）の次の適用において空間的チャンネルｊの遠隔受信器へ通信ステーションからダウンリンク空間的チャンネルｊ上で送信する電力であり、ＬDjは空間的チャンネルｊ上の遠隔受信器へ通信ステーションからのダウンリンク空間的チャンネルｊ上の経路損失であり、ｗDjは空間的チャンネルｊ上の遠隔受信器へ送信するための送信重み付けベクトルであり各送信重み付けベクトルが１のユークリッドノルムの持ち、ａDjはダウンリンク空間チャンネルｊ上の遠隔受信器の送信空間的シグネチャであり、送信空間的シグネチャは１のユークリッドノルムを有し、そしてＩDjはダウンリンク空間的チャンネルｊ上の遠隔受信器により経験されるダウンリンク空間的処理後雑音プラスセル間干渉である、請求項４２に記載の方法。
【請求項４４】  目標ＳＩＮＲが通常チャンネルの全てのダウンリンク空間的チャンネルについて全て同じ値を持つ請求項４０に記載の方法。
【請求項４５】  拘束が、予想されるＳＩＮＲ測定が目標ＳＩＮＲに等しいことである請求項３９記載の方法。
【請求項４６】  空間的チャンネルについて予想されるダウンリンクＳＩＮＲ測定が、特定の送信重み付けベクトルと、空間的チャンネルの他のダウンリンク空間的チャンネル上の通信について使用される他の送信重み付けベクトルと、その空間的チャンネルについて及び空間的チャンネルの他のダウンリンク空間的チャンネルについてのダウンリンク経路損失の表現と、特定の遠隔受信器の送信空間的シグネチャと、通常チャンネル上の他の遠隔受信器の送信空間的シグネチャと、空間的チャンネル上で特定の遠隔受信器により経験される空間的処理後雑音プラスセル間干渉との表現であり、空間的チャンネルについての経路損失が推定されＳＩＮＲ及び最近使用された送信電力の関数であり、いずれのダウンリンク空間的チャンネルについてのセル間干渉プラス雑音が、そのダウンリンク空間的チャンネルについてのＳＩＮＲ推定と、通常チャンネルのダウンリンク空間的チャンネル上の全ての遠隔受信器の送信重み付けベクトル及び送信空間的シグネチャと、通常チャンネルの全てのダウンリンク空間的チャンネル上で最近の繰返しのステップ（ｅ）において通信ステーションにより適用された電力と、その空間的チャンネルについて及び通常チャンネルの他のダウンリンク空間的チャンネルについての経路損失との関数である請求項４５に記載の方法。
【請求項４７】  通信システムにおけるグローバル継続時電力制御方法において、通信システムが１又は複数の通信ステーションの１組を含み、各通信ステーションがアップリンク時に１又は複数の対応する遠隔送信器の１組と通信しそしてダウンリンク時に対応する遠隔送信器と同位置にある１又は複数の対応する遠隔受信器の１組と通信し、各通信ステーションが受信アンテナ要素の配列と、１組の受信装置と、各アンテナ要素が受信装置の１つに接続しており、受信空間的プロセッサとを含み、受信装置の出力が受信信号を受信重み付けベクトルに従い空間的に処理するために空間的プロセッサに接続されていて、対応するどんな遠隔送信器とのアップリンク通信がその遠隔送信器についての受信重み付けベクトルに従うものであり、各通信ステーションが送信重み付けベクトルに従い１組の送信アンテナ信号を形成するための送信空間的プロセッサと、１組の送信装置と、各送信装置は送信アンテナ信号の１つを受け入れ、送信アンテナの要素の配列とをまた含み、各アンテナ要素は送信装置の一つの出力に接続されていて、対応するどんな遠隔受信器とのダウンリンク通信がその遠隔受信器についての送信重み付けベクトルに従うものであり、前記方法が、
（ａ）各通信ステーションに対して及び通信ステーションの通常アップリンクチャンネルの空間的アップリンクチャンネル上で通信ステーションへ送信する通信ステーションの各対応する遠隔送信器に対して、
（ｉ）通常アップリンクチャンネル上で遠隔送信器から特定のアップリンク信号を初期アップリンク電力割当てに従い送信し、
（ｉｉ）通常アップリンクチャンネルの空間的アップリンクチャンネル上で特定の遠隔送信器通信するために特定の受信重み付けベクトルを決定し、
（ｉｉｉ）特定のアップリンク信号をアンテナ要素及び関連した受信装置において１組の受信信号として受信し、そして受信信号を特定の受信重み付けベクトルでもって空間的に処理して特定の受信アップリング信号を形成し、
（ｉｖ）受信された特定のアップリング信号の品質を推定し、
（ｖ）遠隔送信器のための更新されたアップリンク電力割当てを決定し、アップリンク電力割当て決定は受信アップリンク信号品質の推定を用い、決定は少なくとも目標アップリンク信号品質である予想されたアップリンク信号品質測定の拘束に従い、
（ｖｉ）更新されたアップリンク電力割当てを特定の遠隔送信器に適用して、適用は新アップリンク信号を送信することを含み、
全てのステップ（ａ）（ｖ）で決定された更新されたアップリンク電力割当のすべてが、全ての対応する遠隔送信器から全ての通信ステーションへ送信するために使用される送信電力の重み付けした和を同時的に最小にするものであり、
（ｂ）各通信ステーションに対して及び通信ステーションの通常ダウンリンクチャンネルの空間的ダウンリンクチャンネル上で通信ステーションから受信する通信ステーションの各対応する遠隔受信器に対して、
（ｉ）空間的チャンネル上の遠隔送信器へ通信ステーションから特定のダウンリンク信号を遠隔送信器に対する初期送信重み付けベクトルに従い及び初期ダウンリンク電力割当てに従い送信し、
（ｉｉ）遠隔受信器において特定のダウンリンク信号を受信し、
（ｉｉｉ）受信されたダウンリンク信号の品質を推定し、
（ｉｖ）遠隔受信器へ送信するために通信ステーションについて更新されたダウンリンク電力割当てを決定し、ダウンリンク電力割当て決定は受信されたダウンリンク信号品質の推定を用い、決定は少なくとも目標ダウンリンク信号品質である予想されたダウンリンク信号品質測定の拘束に従い、
（ｖ）更新されたダウンリンク電力割当てを通信ステーションについて適用し、適用は新ダウンリンク信号を送信することを含み、
全てのステップ（ｂ）（ｉｖ）で決定された更新されたダウンリンク電力割当のすべてが、全ての対応する遠隔送信器へ全ての通信ステーションから送信するために使用される送信電力の重み付けした和を同時的に最小にするものである、
各ステップを有する方法。
【請求項４８】  ステップ（ａ）（ｖ）の予想されるダウンリンク信号品質測定が通信システムの別個のセルのそれぞれにおいて独立に決定され、そしてステップ（ｂ）（ｉｖ）の予想されるアップリンク信号品質測定が通信システムの別個のセルのそれぞれにおいて独立に決定され、セルが特定の通信ステーションと特定の通信ステーションの対応する遠隔送信器及び遠隔受信器の１組からなり、独立の決定が通信システムの他のセルからの情報通信なしに行なわれる請求項４７記載の方法。
【請求項４９】  通信ステーションと１又は複数の遠隔送信器との間でアップリンク信号を受信するアップリンク通信のための継続時アップリンク電力制御及び受信重み付けベクトル決定方法において、通信ステーションがアンテナ要素の配列と、各アンテナ要素が関連した受信装置に結合し、受信装置の組の出力を空間的処理するためのプロセッサとを含み、空間的処理が受信重みの受信重み付けベクトルに従いアップリンク信号を形成するものであって、前記方法が、
特定の遠隔送信器に対して、
（ａ）通常チャンネルの空間的チャンネル上で特定の遠隔送信器と通信するための特定の受信重み付けベクトルを決定し、
（ｂ）空間的チャンネル上の通信ステーションへ送信するために特定の遠隔送信送信器に対して別個に電力割当てを決定する
各ステップを含む方法。
【請求項５０】  ステップ（ａ）の特定の受信重み付けベクトル決定とステップ（ｂ）の電力割当て決定の間を定期的に前後繰返す請求項４９に記載の方法。
【請求項５１】  通信ステーションと１又は複数の遠隔受信器の間でダウンリンク信号を送信するダウンリンク通信のための完全な送信重み付けベクトル決定方法において、通信ステーションがアンテナ要素の配列と、各アンテナ要素が関連した送信装置の出力に接続されていて、ダウンリンク信号を空間的処理してそれぞれが送信装置の入力に接続された１組の送信信号にするプロセッサとを含み、空間的処理が完全な送信重み付けベクトルに従って送信信号形成し、完全な送信重み付けベクトルが相対的送信重みの相対的送信重み付けベクトル及び相対的送信重み付けベクトルと一緒に用いて電力割当てとして適用されるスケーリングファクタを含んだものにおいて、前記方法が、
特定の遠隔受信器に対して、
（ａ）通常チャンネルの空間的チャンネル上の特定の遠隔受信器へ通信ステーションから送信するための特定の相対的送信重み付けベクトルを決定し、
（ｂ）空間的チャンネル上の特定の遠隔受信器へ送信するための電力割当てを別個に決定し、電力割当ては特定の相対的送信重み付けベクトルと一緒に使用するためのスケーリングファクターを形成する、
各ステップを含む方法。
【請求項５２】
（ｃ）定期的に特定の相対的送信重み付けベクトル決定のステップ（ａ）を繰返し、
（ｄ）定期的に電力割当て決定のステップ（ｂ）を繰返す
各ステップをさらに含む請求項５１に記載の方法。
【請求項５３】  受信ステーションにおいて受信された角度変調信号のＳＩＮＲ推定を決定する方法において、受信ステーションがＲＦ受信器に接続されたアンテナを含み、ＲＦ受信器がベース帯域角度変調信号を形成するものであって、前記方法が、
（ａ）ベース帯域信号の振幅に関係した測定を獲得し、
（ｂ）測定からベース帯域信号の平均振幅レベル及び平均電力レベルを推定し
（ｃ）ＳＩＮＲ推定のために１組の連立方程式を形成して解く
各ステップを含む方法。
【請求項５４】  角度変調信号がデジタル変調スキームに従って変調され、ＲＦ受信器がベース帯域信号のサンプルを形成し、そして平均振幅レベル及び平均電力レベルがベース帯域信号の振幅のサンプル値に関する測定から得られ、振幅サンプル値は実質的にデジタル変調スキームのボー点におけるものである請求項５３に記載の方法。
【請求項５５】  平均振幅レベル及び平均電力レベルがベース信号の２乗振幅のサンプル値から決定され、２乗振幅サンプル値は実質的にデジタル変調スキームのボー点におけるものである請求項５４に記載の方法。
【請求項５６】  受信ステーションが通信ステーションであり、通信ステーションがアンテナ要素の配列を含み、各アンテナ要素が関連したＲＦ受信装置に接続されていて、ＲＦ受信装置の出力が空間的プロセッサに接続されていて、空間的プロセッサがベース帯域信号のサンプルを形成する請求項５４に記載の方法。
【請求項５７】  受信ステーションが通信ステーションであり、通信ステーションがアンテナ要素の配列を含み、各アンテナ要素が関連したＲＦ受信装置に接続されていて、ＲＦ受信装置の出力が空間的プロセッサに接続されていて、空間的プロセッサがベース帯域信号のサンプルを形成する請求項５５に記載の方法。
【請求項５８】  ベース帯域信号をＲ、推定操作をＥ｛  ｝と表示すると、方程式の組は、
【数３】
2002503053.tif 000003
及び
【数４】
2002503053.tif 000004
である請求項５４に記載の方法。
【請求項５９】  方程式の組が反復法で解かれ、値ｆ（ＳＩＮＲ）が予めメモリ内に記憶されている請求項５８に記載の方法。
【請求項６０】  方程式の組が反復法で解かれ、値ｆ（ＳＩＮＲ）が約１である請求項５８に記載の方法。
【請求項６１】  受信ステーションにおいて受信された角度変調信号のＳＩＮＲ推定を決定する方法において、受信ステーションがＲＦ受信器に接続されたアンテナを含み、ＲＦ受信器がベース帯域角度変調信号を形成するものであって、前記方法が、
（ａ）ベース帯域信号の振幅に関係した測定を獲得し、
（ｂ）測定からベース帯域信号の平均電力レベル及び平均２乗電力レベルを推定し
（ｃ）平均電力レベル及び平均２乗電力レベルからＳＩＮＲ推定を決定する
各ステップを含む方法。
【請求項６２】  角度変調信号がデジタル変調スキームに従って変調され、ＲＦ受信器がベース帯域信号のサンプルを形成し、そして平均電力レベル及び平均２乗電力レベルがベース帯域信号の２乗振幅のサンプル値に関する測定から得られ、２乗振幅サンプル値は実質的にデジタル変調スキームのボー点におけるものである請求項６１に記載の方法。
【請求項６３】  受信ステーションが通信ステーションであり、通信ステーションがアンテナ要素の配列を含み、各アンテナ要素が関連したＲＦ受信装置に接続されていて、ＲＦ受信装置の出力が空間的プロセッサに接続されていて、空間的プロセッサがベース帯域信号のサンプルを形成する請求項６２に記載の方法。
【請求項６４】  受信信号の平均電力レベルを
【数５】
2002503053.tif 000005
で表示し、平均２乗電力を
【数６】
2002503053.tif 000006
で表示すると、ＳＩＮＲが次式に従って決定される請求項６２に記載の方法。
【数７】
2002503053.tif 000007
【請求項６５】  ステップ（ａ）、（ｂ）及び（ｃ）が定期的に繰返され、そしてＳＩＮＲ推定が１又は複数の前の繰返しで決定されたＳＩＮＲ値と現在の繰返しのＳＩＮＲ推定との走行平均として決定される請求項６１に記載の方法。
【請求項６６】  ステップ（ａ）、（ｂ）及び（ｃ）が定期的に繰返され、そしてＳＩＮＲ推定が１又は複数の前の繰返しで決定されたＳＩＮＲ値と現在の繰返しのＳＩＮＲ推定との走行平均として決定される請求項５４に記載の方法。
【請求項６７】  遠隔通信デバイスにおける信号であって第１の電力割当て及び第１の送信重み付けベクトルを有する第１の信号を、通信デバイスから受信することと、
前記第１の信号の品質を決定することと、
第１の信号の品質の決定に応じて第２の電力割当てを決定することと、
当該第２の電力割当てを通信デバイスに通信することと、
前記第２の電力割当てを用いて第２の信号を受信することと、
を含んでいる、通信システムにおける電力制御のための方法。
【請求項６８】  前記第１の信号の品質の決定に応じて、第２の送信重み付けベクトルを決定することと、
当該第２の送信重み付けベクトルを通信デバイスに通信することと、
前記第２の電力割当て及び第２の送信重み付けベクトルを用いて前記第２の信号を受信することと、
を更に含んでいる、請求項６７に記載の方法。
【請求項６９】  信号を受信することと、
前記信号の品質を決定することと、
当該品質の決定に応じて電力割当てを決定することと、
当該品質の検定に応じて送信重み付けベクトルを決定することと、
前記第２の電力割当てを通信デバイスに通信することと、
前記第２の送信重み付けベクトルを通信デバイスに通信することと、
当該第２の電力割当てを用いて第２の信号を受信することと、
当該第２の送信重み付けベクトルを用いて第２の信号を受信することと、
からなる手順の少なくとも一部を繰り返すことを、さらに含んでいる請求項６８に記載の方法。
【請求項７０】  遠隔通信デバイスからの信号であって第１の電力割当て及び第１の送信重み付けベクトルを有する第１の信号を、通信デバイスへ送信することと、
前記通信デバイスから第１の信号の品質を受信することと、
第１の信号の品質の受信に応答して第２の電力割当てを決定することと、
当該第２の電力割当てを用いて第２の信号を送信することと、
を含んでいる、通信システムにおける電力制御のための方法。
【請求項７１】  前記第１の信号の品質の受信に応答して第２の送信重み付けベクトルを決定することと、
前記第２の電力割当て及び第２の送信重み付けベクトルを用いて前記第２の信号を送信することと、
を更に含んでいる、請求項７０に記載の方法。
【請求項７２】  信号を送信することと、
前記信号の品質を受信することと、
前記品質の受信に応答して電力割当てを決定することと、
前記品質の受信に応答して送信重み付けベクトルを決定することと、
前記第２の電力割当てを用いて第２の信号を送信することと、
善の第２の送信重み付けベクトルを用いて第２の信号を送信することと、
からなる手順の少なくとも一部を繰り返すことを、さらに含んでいる請求項７１に記載の方法。